(57)【要約】【課題】障子下框から垂下片を垂下させ、下枠上面のスライド溝に嵌入させた引き違い障子において、下枠の強度や耐傷付性を確保しつつ、断熱性に優れた下枠上面略フラットのサッシ構造の提供を目的とする。【解決手段】建築物の屋外開口部に備えられた引き違い障子からなるサッシの下枠上面を略フラットに形成するとともに、外障子及び内障子の下框より垂下片を垂下させて、下枠上面に設けた細い条状の外障子スライド溝及び内障子スライド溝に、それぞれ上記垂下片を嵌入させ、この外障子スライド溝と内障子スライド溝の間に位置する下枠上面を金属製からなる上面部材で形成し、この上面部材を下枠ベース部材に断熱部材を介して取り付けた。【選択図】  図１
2004293221.tif 000002
【特許請求の範囲】
【請求項１】
建築物の屋外開口部に備えられた引き違い障子からなるサッシの下枠上面を略フラットに形成するとともに、外障子及び内障子の下框より垂下片を垂下させて、下枠上面に設けた細い条状の外障子スライド溝及び内障子スライド溝に、それぞれ上記垂下片を嵌入させ、この外障子スライド溝と内障子スライド溝の間に位置する下枠上面を金属製からなる上面部材で形成し、この上面部材を下枠ベース部材に断熱部材を介して取り付けたことを特徴とする下枠フラットの断熱サッシ構造。
【請求項２】
建築物の屋外開口部に備えられた引き違い障子からなるサッシの下枠上面を略フラットに形成するとともに、外障子及び内障子の下框より垂下片を垂下させて、下枠上面に設けた細い条状の外障子スライド溝及び内障子スライド溝に、それぞれ上記垂下片を嵌入させ、この外障子スライド溝と内障子スライド溝の間に位置する下枠上面を樹脂等の低熱伝導性材からなる上面部材で形成し、その上面に金属製の保護カバー部材を取り付けたことを特徴とする下枠フラットの断熱サッシ構造。
【請求項３】
建築物の屋外開口部に備えられた引き違い障子からなるサッシの下枠上面を略フラットに形成するとともに、外障子及び内障子の下框より垂下片を垂下させて、下枠上面に設けた細い条状の外障子スライド溝及び内障子スライド溝に、それぞれ上記垂下片を嵌入させた下枠構造において、下枠を内障子スライド溝を境にして室外側部材と室内側部材に分割するとともに、この室外側部材と室内側部材とを躯体取付面上部にて断熱部材を用いて連結したことを特徴とする下枠フラットの断熱サッシ構造。
【請求項４】
請求項１または請求項２記載の発明の構成に、請求項３記載の発明の構成を加えて下枠の室内側の結露の発生を防止したことを特徴とする下枠フラットの断熱サッシ構造。
【請求項５】
外障子スライド溝と内障子スライド溝にて分断された下枠上面に、それぞれ保護カバー部材を取り付けたことを特徴とする請求項１または請求項２記載の下枠フラットの断熱サッシ構造。
【請求項６】
金属製の上面部材と下枠ベース部材の間に挟む断熱部材をこの上面部材の室外側側部と下方部とに分割し、当該室外側側部の断熱部材を軟質樹脂又はゴム材としたことを特徴とする請求項１記載の下枠フラットの断熱サッシ構造。
【発明の詳細な説明】
【０００１】
【発明の属する技術分野】
本発明は、引き違い障子等の障子下框から垂下片を垂下させ、この垂下片を下枠上面略フラットの下枠上面に形成したスライド溝に嵌入させた構造の障子の下枠断熱構造に関する。
【０００２】
【従来の技術】
外障子と内障子からなる引き違い障子戸や引き違い窓において、従来の外障子用の突条状レールと内障子用の突条状レールとからなる下枠においては、この外障子用と内障子用のレール間に断熱部材を挿入連結した構造の断熱サッシ構造が知られている（特開２０００−３３７０２４号公報の図３参照）。
しかし、下枠上面を略フラットに形成するために、例えば図７に示すように、外障子下框及び内障子下框からそれぞれ垂下片を垂下させ、下枠上面に外障子用スライド溝及び内障子用スライド溝を形成した構造にすると、下枠上面は外障子スライド溝から室外側の部分Ａ、外障子スライド溝と内障子スライド溝との間の部分Ｂ、内障子スライド溝から室内側の部分Ｃの３つの部分に分けられることになる。
【０００３】
下枠を断熱構造にする場合に、図７（イ）に示すように内障子スライド溝を境にして断熱部材で熱伝導を遮断しようとしても、外障子と内障子が閉じた際には下枠上面のＢの部分は室内に露出することになり、この部分を遮断しないと熱伝導が大きく結露等の原因にもなる。
この外障子下框垂下片と内障子下框垂下片との間に挟まれた下枠上面は、障子のスライドをガイドし、外障子用レールを構成する役割があることから、この部分全体を樹脂等で形成するのは強度上弱いという課題が生じる。
更に、下枠上面は人が歩行したり車いす等が走行するので、樹脂等では傷が付きやすいという課題もある。
【０００４】
また、図７（イ）の他に、図７（ロ）に示すように、外障子スライド溝の部分にも樹脂材等の断熱部材を挿入連結したものもあるが、これらは断熱部材の強度が弱いために出入口用の下枠としての耐荷重が不充分になりやすく、特に半外付けタイプのサッシ構造においては、外付け部分の強度確保が困難であった。
【０００５】
【特許文献１】
特開２０００−３３７０２４号公報
【０００６】
【発明が解決しようとする課題】
本発明は、上記従来技術に有する技術的課題に鑑みて、障子下框から垂下片を垂下させ、下枠上面のスライド溝に嵌入させた引き違い障子において、下枠の強度や耐傷付性を確保しつつ、断熱性に優れた下枠上面略フラットのサッシ構造の提供を目的とする。
【０００７】
【課題を解決するための手段】
請求項１記載の発明は、建築物の屋外開口部に備えられた引き違い障子からなるサッシの下枠上面を略フラットに形成するとともに、外障子及び内障子の下框より垂下片を垂下させて、下枠上面に設けた細い条状の外障子スライド溝及び内障子スライド溝に、それぞれ上記垂下片を嵌入させ、この外障子スライド溝と内障子スライド溝の間に位置する下枠上面を金属製からなる上面部材で形成し、この上面部材を下枠ベース部材に断熱部材を介して取り付けた。
【０００８】
このように、外障子スライド溝と内障子スライド溝の間に配設した下枠上面部材と下枠のベース部材との間に断熱部材を設けることにより、下枠のスライド溝間の断熱性を確保した上に、障子のスライドをガイドする際の強度を確保し、下枠上面部材の傷つきも防止している。
なお、外障子スライド溝と内障子スライド溝の間に配設した上面部材を断熱するのは、障子を閉じた際に室内側に露出する部分の断熱を目的とするのが本来のねらいである。
従って、この上面部材は必ずしも全長にわたって断熱されている必要は無く、少なくとも室内側に位置する部分が断熱されていればよい。
【０００９】
請求項２記載の発明は、建築物の屋外開口部に備えられた引き違い障子からなるサッシの下枠上面を略フラットに形成するとともに、外障子及び内障子の下框より垂下片を垂下させて、下枠上面に設けた細い条状の外障子スライド溝及び内障子スライド溝に、それぞれ上記垂下片を嵌入させ、この外障子スライド溝と内障子スライド溝の間に位置する下枠上面を樹脂等の低熱伝導性材からなる上面部材で形成し、その上面に金属製の保護カバー部材を取り付けた。
【００１０】
このように、下枠上面部材を、例えば樹脂等の低熱伝導性材にて形成することで下枠のスライド溝間の断熱性を確保し、その上面を例えば、ＳＵＳ材からなる保護カバー部材にて覆ったことにより、表面の傷つきを防止している。
ここで、保護カバー部材の断面形状を略Ｌ字型、略コ字型等に成形し、上面部材の上面から側部にかけて取り付けるのが良い。
【００１１】
請求項３記載の発明は、建築物の屋外開口部に備えられた引き違い障子からなるサッシの下枠上面を略フラットに形成するとともに、外障子及び内障子の下框より垂下片を垂下させて、下枠上面に設けた細い条状の外障子スライド溝及び内障子スライド溝に、それぞれ上記垂下片を嵌入させた下枠構造において、下枠を内障子スライド溝を境にして室外側部材と室内側部材に分割するとともに、この室外側部材と室内側部材とを躯体取付面上部にて断熱部材を用いて連結した。
【００１２】
このように、下枠の断熱部材を用いた連結部を躯体取付面上部に設けると、サッシの荷重が直接断熱部材部分にかからず、躯体取付面にかかることとなり、断熱部材部分の安定性確保が容易となる。
【００１３】
請求項４記載の発明は、請求項１または請求項２記載の発明の構成に請求項３記載の発明の構成を加えて、下枠の室内側の結露の発生を防止した。
【００１４】
このように、下枠の室内側へ露出する部分に対して強度を確保しながら断熱することで、室内側での結露の発生を防止できる。
【００１５】
請求項５記載の発明は、外障子スライド溝と内障子スライド溝にて分断された下枠上面に、それぞれ保護カバー部材を取り付けた。
【００１６】
これにより、例えば下枠ベース部材及び上面部材等をアルミニウム合金押出材を用いるで生産性が高いうえ、下枠上面をＳＵＳ材等の傷の付き難い保護カバー部材で覆うことにより全体意匠性及び耐傷付性が向上する。
また、下枠上面の色や模様を内装に合わせて選べる様に種類を増すことが容易に出来る。
【００１７】
請求項６記載の発明は、請求項１記載の発明において、金属製の上面部材と下枠ベース部材の間に挟む断熱部材をこの上面部材の室外側側部と下方部とに分割し、当該室外側側部の断熱部材を軟質樹脂又はゴム材とした。
【００１８】
これにより、上面部材側部及び下枠ベース部材の間の隙間は、軟質樹脂又はゴム材からなる断熱部材を密着するように取り付けることでシールされ、水やゴミが浸入することを防止出来る。
即ち、上面部材の下方部は人の歩行時等に大きな荷重がかかるので、硬質塩化ビニル樹脂等の硬質系の樹脂で断熱出来、上面部材の室外側側部は耐荷重性よりもシール性が要求されるので弾性材を使用できることになる。
また、この下方部の断熱部材を長手方向に分割すると、分割目を利用して内障子スライド溝部の排水路とすることもできる。
【００１９】
【発明の実施の形態】
本発明に係るサッシ構造の縦断面図を図１に示し、その横断面図を図２に示す。
また、下枠部分の拡大図を図３に示す。
建築物の躯体開口部に下枠１０、上枠２０及び室内から室外側に向かって右縦枠３０、左縦枠４０にて略方形の枠体を形成し、その開口部に室外側から順に、網戸７０、外障子５０、内障子６０がスライド開閉可能に取り付けられている。
なお、網戸は必要に応じて取り付けられるものである。
また、図に示した引き違い障子の場合には、外障子と内障子の２枚戸であるが、本発明は４枚戸等の引き違い障子等にも適用される。
【００２０】
上枠２０は、強度が確保しやすいアルミ押出材等の金属製からなる上枠ベース部材２０ａと２０ｃを樹脂材等の断熱部材２０ｄで連結し、断熱と意匠性を考慮して上枠室内部材２０ｂをその室内側に配設した構造になっている。
【００２１】
右縦枠３０及び左縦枠４０は、それぞれ金属製の縦枠ベース部材３０ａ、４０ａ、の室内側に樹脂製等の縦枠室内部材３０ｂ、４０ｂを連結した断熱構造になっている。
【００２２】
図３の拡大図に基づいて下枠構造を説明する。
下枠１０の下枠ベース部は、室外側下枠ベース部材１１と室内側下枠ベース部材１２を断熱部材１６にて躯体取付面１ａ上で連結して形成されている。
これにより、室外側下枠ベース部材１１と室内側下枠ベース部材１２間は断熱されているが、躯体取付面１ａ上で室外側下枠ベース部材１１と室内側下枠ベース部材１２を断熱部材１６にて連結することで、サッシの過重は直接断熱部材１６部分にかからず、室外側下枠ベース部材１１及び室内側下枠ベース部材１２から躯体取付面１ａへかかることとなる。
また、室外側下枠ベース部材１１及び室内側下枠ベース部材１２は個別に各種固定金具で躯体取付け部１に取付固定されているために、更に断熱部材１６部分の安定性は確保されている。
これにより、半外付構造においても下枠の耐荷重強度を充分に確保できる。
下枠ベース部材には、外障子５０の戸車５１ｃ及び内障子６０の戸車６１ｃが走行する小さな条状突起からなる擬似レール１９ａ、１９ｂが形成されている。この擬似レール部分とは独立して分離出来るように、上面部材１５ａが下枠ベース部に着脱自在に取り付けられている。
下枠上面は、通常その上を通過する際に躓きや嵌り込みの原因となる凹凸のない略フラットに形成されている。
【００２３】
上面部材１５ａは、室外側下枠ベース部材１１上部に第３立ち上がり片１０３ａと第４立ち上がり片１０４ａを設けて形成される凹部に、断熱部材１５ｃ及び断熱部材１５ｄを挟んで嵌合されている。
断熱部材１５ｃは、断面略Ｕ字形状で上面部材１５ａの下方に挟まれているが、硬質性樹脂で形成されているため、通行等に際し、上面部材１５ａが上方から圧力を加えられてもぐらつくことはない。
室外側下枠ベース部材１１上部の第４立ち上がり片１０４ａと上面部材１５ａの間の断熱部材１５ｄは、軟質性樹脂又はゴム材で形成され、第４立ち上がり片１０４ａと上面部材１５ａの室外側側部に密着するように取り付けられシールを行い、水やゴミの浸入を防止している。
金属製の上面部材１５ａは、室外側下枠ベース部材１１との間を断熱部材１５ｃ及び断熱部材１５ｄにより断熱されている。
これにより、この部分から熱伝導や結露の発生を防止している。
この上面部材１５ａは、少なくとも室内側に位置する部分が断熱されていればよい。
【００２４】
第４立ち上がり片１０４ａ上部は、擬似レール１９ａが形成されて折り返され、外障子下框垂下片５１ｅの室内側に取り付けたタイト材５１ｆの摺接壁１０８が形成されている。
立設片１０５ａは、その上部を室内側へ曲げられ、上面部材１１２ａを形成し、その端部は下へ曲げられている。
上面部材１１２ａと摺接壁１０８との間に外障子５０の下框５１の室外側より垂下させた垂下片５１ｅがスライドする外障子用スライド溝１３ａが形成され、その下に排水用の外障子用下枠凹部１４ａが形成される。
【００２５】
なお、この上面部材１５ａにて内障子６０の下框６１の室外側よりから垂下させた垂下片６１ｅがスライドする内障子用スライド溝１３ｂの室外側部を形成し、その下に排水用の内障子用下枠凹部１４ｂが形成される。
このようにガイド部材を兼ねる上面部材１５ａが障子の戸車走行部より独立しているので、上面部材１５ａを引き違い障子の開閉に対して左右の開口部と中央部に分割して取り付けると、障子を一方に寄せて交互に上面部材１５ａを取り外すことができる。
この場合に中央部の上面部材１５ａは、障子召合部に対応した長さにするのがよい。
【００２６】
図３の構造の下枠の上面に、それぞれ保護カバー部材を取り付けた場合を図４に示す。
下枠上面には上面部材１１３ａから立設片１０６ａ及び立設片１０７ａ上部を覆う保護カバー部材１５ｆと上面部材１１２ａから立設片１０５ａを覆い、スライド溝１３ａ側壁を形成する保護カバー部材１５ｇと、第１立ち上がり片１０１ａ上端の上面部材１１１ａを覆う保護カバー部材１５ｉが設けられている。
上面部材１５ａには、その上部に保護カバー部材１５ｈが設けられている。
例えば、同じ色や模様の保護カバー部材が略全面に取り付けられることで、上面部材１５ａ上面と他の下枠上面部分の材質の違いによる外観意匠の不整合性を解消し、外観の整合性が図られ、全体意匠が向上している。
また、この保護カバー部材及び上面部材の色や模様を、内装に合わせた使用者の好みに応じて選択することが可能となっている。
保護カバー部材はこのように略コ字型断面もしくは略Ｌ字型断面とすることで加工が容易なうえ、取り付けも容易になりコスト低減の効果がある。
下枠ベース部材及び上面部材等をアルミニウム合金押出材を用いることにより生産性は高く、下枠上面をＳＵＳ材等の傷の付き難い保護カバー部材で覆うことで全体意匠は優れている。
【００２７】
下枠１０上面は、保護カバー部材及び上面部材により略全面が覆われるが、下枠上面は全体として略フラット状態となっている。
上面部材１５ａ下部には、外障子用下枠凹部１４ａもしくはホロー部１４ｃと内障子下枠凹部１４ｂを連通する開口部が設けられ、断熱部材１５ｃは開口部を挟み分割されて配置されている。
下枠１０には下枠内部から室内（屋外）に雨水等を排水する排水穴１８及び逆止弁１８ａが設けられている。
【００２８】
スライド溝間に位置する上面部材を樹脂などの低熱伝導性材で形成し、その上面に金属製の保護カバー部材を取り付けた場合の下枠フラットの断熱サッシ構造の実施例を図５に示す。
上面部材１５ｂは、室外側下枠ベース部材１１上部に第３立ち上がり片１０３ｂと第４立ち上がり片１０４ｂを設けて形成される凹部に嵌合されている。
上面部材１５ｂには、上方から略Ｌ字型断面の保護カバー部材１５ｅが貼り付けられている。
保護カバー部材１５ｅはＳＵＳ材等で形成され、上面部材１５ｂ上面から、垂下片６１ｅがスライドする内障子用スライド溝１３ｂの室外側部まで覆い、上面部材１５ｂの傷つきを防止し、内障子のスライドをガイドする際の強度が確保されている。
低熱伝導性材で形成されている上面部材１５ｂは、スライド溝間の凹部に嵌合されることで、その上面の保護カバー部材１５ｅと下枠の間を断熱している。
少なくとも室内側に位置する部分に、低熱伝導性材で形成された上面部材を設けることで、この部分から熱伝導や結露の発生を防止している。
また、この低熱伝導性材は軟質性でもあるために、保護カバー部材１５ｅを上面部材１５ｂに押し込むことで密着させ、保護カバー部材１５ｅ外縁部分と上面部材１５ｂとの間に隙間を無くして取り付けることが出来るために、水やゴミが保護カバー部材１５ｅと上面部材１５ｂとの間に浸入することを防止できる。
また、保護カバー部材１５ｅはこのように略Ｌ字型断面もしくは略コ字型断面とすることで加工が容易なうえ、取り付けも容易になりコスト低減の効果がある。
下枠１０の下枠ベース部は室外側下枠ベース部材１１と室内側下枠ベース部材１２を断熱部材１６にて躯体取付面１ａ上で連結して形成され、室外側下枠ベース部材１１及び室内側下枠ベース部材１２は個別に各種固定金具で躯体取付け部１に取付固定されているため、断熱部材１６部分の安定性は確保されている。
【００２９】
図５に示す構造においては、外障子スライド溝と内障子スライド溝の間の上面部材にのみ保護カバー部材を取り付けたが、他の面にも保護カバー部材を取り付けた場合を図６に示す。
下枠上面は、以下の保護カバー部材で覆われている。
外障子スライド溝１３ａと内障子スライド溝１３ｂの間の上面部材１５ｂ上は保護カバー部材１５ｅで覆われている。
保護カバー部材１５ｆは、上面部材１１３ｂから立設片１０６ｂ及び立設片１０７ｂ上部にかけて覆い保護カバー部材１５ｇは上面部材１１２ｂから立設片１０５ｂ上にかけて覆い、スライド溝１３ａの室外側部を形成している。
保護カバー部材１５ｉは、立ち上がり片１０１ｂ上端の上面部材１１１ｂを覆っている。
例えば、保護カバー部材１５ｅと同じ色や模様の保護カバー部材が略全面に取り付けられることで、保護カバー部材１５ｅ上面と他の下枠上面部分の材質の違いによる外観意匠の不整合性を解消し、外観の整合性が図られ、全体意匠が向上している。
また、この保護カバー部材の色や模様を内装に合わせた使用者の好みに応じて選択することが可能となっている。
下枠ベース部材等をアルミニウム合金押出材を用いることにより生産性は高くなり、下枠上面をＳＵＳ材等の傷の付き難い保護カバー部材で覆うことで全体意匠に優れている。
【００３０】
外障子は、外障子下框５１、外障子上框５２、及び外障子戸当り框５３と外障子召合框５４にて略方形の枠を形成し、内側にガラス５５等が装着されている。
なお、図１、図２に示す例では、二重のペアガラスタイプになっている。
また、上記下框、上框、戸当り框は、それぞれ金属製のベース部材５１ａ、５２ａ、５３ａの室内側に樹脂材等の断熱部材からなる室内部材５１ｂ、５２ｂ、５３ｂが連結されたクラッドサッシ構造となっている。
【００３１】
外障子下框構造を図３にて説明する。
外障子の下框５１の室外側よりから外障子下框垂下片５１ｅが垂下され、下枠上面に形成した外障子用スライド溝１３ａに嵌入するようになっている。
外障子下框垂下片５１ｅの室内側には、タイト材５１ｆが取り付けられ、下枠のスライド溝側壁（下枠凹部）との間をシールする。
外障子下框の底部と下枠上面との間にタイト材を取り付けてもよい。
外障子下框底部には戸車５１ｃが取り付けられ、戸車のタイヤの外周中央部は凹部形状５１ｄになっていて、擬似レール１９ａと当接回転するようになっている。
【００３２】
内障子６０は、内障子下框６１、上框６２、戸当り框６３、召合框６４で略方形の枠を形成され、ガラス６５等が取り付けられている。
なお、図１、図２に示す例では、二重のペアガラスタイプになっている。
また、上記下框、上框、戸当り框、召合框は、それぞれ金属製のベース部材６１ａ、６２ａ、６３ａ、６４ａの室内側に樹脂材等の断熱部材からなる室内部材６１ｂ、６２ｂ、６３ｂ、６４ｂが連結されたクラッドサッシ構造となっている。
【００３３】
内障子の下框６１の室外側よりから内障子下框垂下片６１ｅが垂下され、下枠上面に形成した内障子用スライド溝１３ｂに嵌入するようになっている。
この実施例においては、外障子下框の垂下片が室外側よりからのみ垂下され、内障子も内障子下框の室外側よりからのみ垂下片を垂下させた構造になっている。
内障子下框垂下片６１ｅの室内側にはタイト材６１ｆが取り付けられ、下枠のスライド溝側壁（下枠凹部）との間をシールする。
内障子下框底部には戸車６１ｃが取り付けられ、戸車のタイヤの外周中央部は凹部形状６１ｄになっていて、擬似レール１９ｂと当接回転するようになっている。
【００３４】
外障子５０には取っ手１２１が、内障子６０には取っ手１２２が設けられている。
外障子５０の取っ手１２１は、外障子５０の開放を使用者がスムーズに行えるようにする他に、その柄部１２１ａが外障子５０の全開放時に内障子召合框６４に当接し、開放規制するストッパ機能も有している。
内障子６０には、戸当框６３の取っ手１２２に対向する位置にストッパ部材１２２ａが設けられ、内障子６０全開放時にストッパ部材１２２ａが外障子召合框５４に当接し、開放規制する。
このように、障子の開放規制のためのストッパを下枠部分には設けておらず、下枠の略フラット構造はストッパの突起を設けることなく、良好に実現されている。
【００３５】
網戸７０は、下框７１、上框７２、左右の縦框７３、７４にて略方形の枠を形成し、枠内に網７５が張設されている。
網戸の下框には室内側よりから垂下片が垂下され、下枠のスライド溝に嵌入し、この垂下片と下枠のスライド溝にて虫押えラインを形成している。
【００３６】
【発明の効果】
本発明においては、外障子スライド溝と内障子スライド溝の間に配設した下枠上面部材と下枠ベース部材との間に断熱部材を設けることにより、下枠のスライド溝間の断熱性を確保した上に、障子のスライドをガイドする際の強度を確保し、下枠上面の傷つきも防止した。
【００３７】
もしくは、下枠のスライド溝間に配設する上面部材を樹脂等の低熱伝導性材にて形成し、下枠のスライド溝間部分の断熱を行い、その上面から例えばＳＵＳ材からなる保護カバー部材にて覆い、表面の傷つきを防止した。
【００３８】
下枠の断熱部材を用いた連結は躯体取付面上部にて行ったため、サッシの荷重が直接断熱部材部分にかからず躯体取付面にかかることとなり、断熱部材部分の安定性が確保されている。
このため、断熱性に優れて強度安定性にも優れた構造となっている。。
【００３９】
下枠上面に金属製の保護カバー部材を取り付けることで、下枠のスライド溝間に配設した上面部材と外観の整合性を図ったうえ、下枠上面の傷つきを防止し、保護カバー部材の色や模様を選択可能とすることで内装に合わせて使用者の好みのデザインとすることが出来る。
【００４０】
下枠のスライド溝間に配設した金属製の上面部材側部と下枠ベース部材間に挟んだ断熱材は、軟質樹脂又はゴム材から形成されているため、上面部材側部と下枠ベース部材に密着するように取り付けることで隙間をシールし、水やゴミの浸入を防止出来る。
【図面の簡単な説明】
【図１】本発明に係る断熱構造を適用したサッシの縦断面図を示す。
【図２】本発明に係る断熱構造を適用したサッシの横断面図を示す。
【図３】上面部材を金属で形成した場合の下枠の拡大図を示す。
【図４】上面部材を金属で形成し、下枠上面に保護カバー部材を取り付けた場合の下枠の拡大図を示す。
【図５】上面部材を樹脂で形成した場合の下枠の拡大図を示す。
【図６】上面部材を樹脂で形成し、下枠上面にカバーを取り付けた場合の下枠の拡大図を示す。
【図７】従来の断熱構造例を示す。
【符号の説明】
１      躯体取付け部
１ａ    躯体取付け面
１０    下枠
１１    室外側下枠ベース部材
１２    室内側下枠ベース部材
１３ａ  外障子用スライド溝
１３ｂ  内障子用スライド溝
１４ａ  外障子用下枠凹部
１４ｂ  内障子用下枠凹部
１４ｃ  ホロー部
１５ａ、１５ｂ  上面部材
１５ｃ、１５ｄ  断熱部材
１５ｅ、１５ｆ、１５ｇ、１５ｈ、１５ｉ  保護カバー部材
１６    断熱部材
１８    下枠排水穴
１８ａ  逆止弁
１９ａ、１９ｂ  擬似レール
２０    上枠
２０ａ、２０ｃ  上枠ベース部材
２０ｂ  上枠室内部材
２０ｄ  断熱部材
３０    右縦枠
３０ａ  右縦枠ベース部材
３０ｂ  右縦枠室内部材
４０    左縦枠
４０ａ  左縦枠ベース部材
４０ｂ  左縦枠室内部材
５０    外障子
５１    外障子下框
５１ａ  外障子下框ベース部材
５１ｂ  外障子下框断熱室内部材
５１ｃ  外障子戸車
５１ｄ  外障子戸車凹部
５１ｅ  外障子下框垂下片
５１ｆ  外障子下框タイト材
６０    内障子
６１    内障子下框
６１ａ  内障子下框ベース部材
６１ｂ  内障子下框断熱室内部材
６１ｃ  内障子戸車
６１ｄ  内障子戸車凹部
６１ｅ  内障子下框垂下片
６１ｆ  内障子下框タイト材
７０    網戸
１０１ａ、１０１ｂ  第１立ち上がり片
１０２ａ、１０２ｂ  第２立ち上がり片
１０３ａ、１０３ｂ  第３立ち上がり片
１０４ａ、１０４ｂ  第４立ち上がり片
１０５ａ、１０５ｂ、１０６ａ、１０６ｂ、１０７ａ、１０８ｂ  立設片
１０８  摺接壁
１１１ａ、１１２ａ、１１３ａ、１１１ｂ、１１２ｂ、１１３ｂ  上面部材
１２１、１２２  取っ手
１２１ａ  柄部
１２２ａ  ストッパ部材
【図１】
2004293221.tif 000003
【図２】
2004293221.tif 000004
【図３】
2004293221.tif 000005
【図４】
2004293221.tif 000006
【図５】
2004293221.tif 000007
【図６】
2004293221.tif 000008
【図７】
2004293221.tif 000009